(57)【要約】【課題】求人・求職活動における企業説明会、企業面接等の応募者の母集団形成のみならず、マッチング機能、チャット機能、決済機能、相互評価機能のシステムを有する実際的な業務を実行した上で採用検討が行える注文者・請負人業務支援システムを提供する。【解決手段】インターネットを利用し注文者・請負人業務支援サイトを通じて任意数の注文者が送信する情報及び任意数の請負人が送信する情報をＷｅｂサーバーで加工、処理を行い、ＤＢサーバーでユーザー情報ＤＢ、注文者情報ＤＢ、請負人情報ＤＢ、業務情報ＤＢ、注文者評価ＤＢ、請負人評価ＤＢに蓄積し、蓄積された情報をもとにマッチング処理、チャット処理、決済処理、相互評価処理を行う。【選択図】図１
2020170489.tif 000002
【特許請求の範囲】
【請求項１】
業務の注文を希望している任意数の注文者の情報端末と
業務の請負を希望している任意数の請負人の情報端末と、
会員登録制のサイトを運営するシステム運営者のＷｅｂサーバーとＤＢサーバーとの間において相互通信を行う業務支援システムであって、
注文者と請負人がデーターベースに情報を登録し、
請負人が注文者の登録した業務に対して応募し、
注文者と請負人が連絡することを特徴とする業務支援システム。
【請求項２】
業務の注文を希望している任意数の注文者の情報端末と
業務の請負を希望している任意数の請負人の情報端末と、
会員登録制のサイトを運営するシステム運営者のＷｅｂサーバーとＤＢサーバーとの間において相互通信を行う業務支援システムであって、
請負人が注文者の登録した業務に対して応募し、
同一のアカウントから、
業務への応募、業務依頼することを特徴とする業務支援システム。
【請求項３】
業務の注文を希望している任意数の注文者の情報端末と
業務の請負を希望している任意数の請負人の情報端末と、
会員登録制のサイトを運営するシステム運営者のＷｅｂサーバーとＤＢサーバーとの間において相互通信を行う業務支援システムであって、
注文者と請負人がデーターベースに情報を登録し、
地図上に表示された業務より、請負人が注文者の登録した業務に対して応募し、
注文者と請負人が連絡することを特徴とする業務支援システム。
【請求項４】
業務の注文を希望している任意数の注文者の情報端末と
業務の請負を希望している任意数の請負人の情報端末と、
会員登録制のサイトを運営するシステム運営者のＷｅｂサーバーとＤＢサーバーとの間において相互通信を行う業務支援システムであって、
注文者と請負人がデーターベースに情報を登録し、
検索により表示された業務より、請負人が注文者の登録した業務に対して応募し、
注文者と請負人が連絡することを特徴とする業務支援システム。
【請求項５】
業務の注文を希望している任意数の注文者の情報端末と
業務の請負を希望している任意数の請負人の情報端末と、
会員登録制のサイトを運営するシステム運営者のＷｅｂサーバーとＤＢサーバーとの間において相互通信を行う業務支援システムであって、
注文者と請負人がデーターベースに情報を登録し、
請負人が注文者の登録した業務に対して応募し、
注文者と請負人がチャットすることを特徴とする業務支援システム。
【請求項６】
業務の注文を希望している任意数の注文者の情報端末と
業務の請負を希望している任意数の請負人の情報端末と、
会員登録制のサイトを運営するシステム運営者のＷｅｂサーバーとＤＢサーバーとの間において相互通信を行う業務支援システムであって、
注文者と請負人がデーターベースに情報を登録し、
請負人が注文者の登録した業務に対して応募し、
注文者と請負人がキャッシュレスで決済することを特徴とする。
【請求項７】
業務の注文を希望している任意数の注文者の情報端末と
業務の請負を希望している任意数の請負人の情報端末と、
会員登録制のサイトを運営するシステム運営者のＷｅｂサーバーとＤＢサーバーとの間において相互通信を行う業務支援システムであって、
注文者と請負人がデーターベースに情報を登録し、
請負人が注文者の登録した業務に対して応募し、
注文者と請負人が相互評価することを特徴とする業務支援システム。
【発明の詳細な説明】
【技術分野】
【０００１】本発明は、注文者・請負人業務支援システムに関するものである。
【背景技術】
【０００２】従来例として、インターネットを利用した求人者と求職者のマッチングシステムの処理の流れを概説すると以下の通りである。【０００３】求人を行いたい企業（以下「求人企業」という）は、求人・求職サイトに会員登録し企業の基礎情報を求人企業情報データーベースに登録する。【０００４】就職をしたい個人（以下「就職個人」という）は、求人・求職サイトに会員登録し、
氏名、年齢、学歴、職歴等の自身の基礎情報を就職個人情報データーベースに登録する。【０００５】就職個人は、Ｗｅｂサイトで任意の検索項目で求人企業情報データーベースを検索し、企業情報を閲覧する。【０００６】就職個人は、閲覧した企業情報をもとに、Ｗｅｂサイトで企業説明会やセミナーに参加申し込みを行う。【０００７】求人企業は参加申し込みのあった個人に対する選考状況等の応募者の管理をＷｅｂサイトで行う。求人企業は、応募のあった就職個人情報データーベースの中から採用条件に合致した個人を選択し、
企業説明会やセミナー参加を促すダイレクトメールを送信する。【０００８】従来の求人・求職サイトでは、企業説明会やセミナーへの参加者を集めることが主目的となっており、求人企業は学歴、職務経歴、就職個人は企業情報、
雇用条件をもとに、条件に合致した相手に対して連絡を取り、
就職個人に対して一般常識、適性試験、複数回の面接等を実施し、
結果の情報を基に求人企業は採用可否、就職個人は入社可否の判断をしている。すなわち、ほとんど相手の表面的な情報のみでマッチングを行っている。（以下「看板マッチング」という）。【０００９】以上に述べた従来の看板マッチングでは、
就職個人の業務への適性は、表面的な情報をもとに推測することが多く、
入社前に、就職個人の就業姿勢、業務遂行能力を正確に把握することは困難であった。同様に就職個人も求人企業が必要とする就業姿勢、業務遂行能力を把握することは困難であった。そのため、入社後のミスマッチから、
就職個人のモチベーションの低下、業務転換、退職が発生し、
求人企業、就職個人ともに機会的、経済的損失が発生することが多く見受けられた。
【先行技術文献】
【特許文献】
【００１０】
【特許文献１】特開２０１３−２４６４５３号公報
【発明の概要】
【発明が解決しようとする課題】
【００１１】本発明は、このような従来の看板マッチングのシステムが有していたミスマッチの問題を解決しようとするものである。
就職個人は、求人企業の業務に対しての連絡を取り、
実際の業務を実行した上で、求人企業は就職個人の就業姿勢、
業務遂行能力の把握を行い、就職個人は、求人企業が必要とする就業姿勢、
業務遂行能力の把握を行った上で入社する。すなわち、具体的な業務内容に踏み込んだマッチングを行う（以下「業務マッチング」という）、
就職個人と求人企業のミスマッチが少ないシステムを提供することを目的とする。
また、マッチング機能、チャット機能、決済機能、相互評価機能を有する業務マッチングのための業務支援システムを提供することを目的とする。
【課題を解決するための手段】
【００１２】本発明に係る注文者・請負人業務支援システムは、
業務の注文を希望している任意数の注文者の情報端末と
業務の請負を希望している任意数の請負人の情報端末と、
会員登録制のサイトを運営するシステム運営者のＷｅｂサーバーとＤＢサーバーとの間における業務システムであって、
注文者と請負人がデーターベースに情報を登録し、
請求項１では、請負人が注文者の登録した業務に対して応募し、
注文者と請負人が連絡することを特徴とする。
請求項２では、注文者と請負人が同一のアカウントから、
業務への応募、業務依頼することを特徴とする。
請求項３では、地図上に表示された業務より、
請負人が注文者の登録した業務に対して応募し、
注文者と請負人が連絡することを特徴とする。
請求項４では、検索により表示された業務より、
請負人が注文者の登録した業務に対して応募し、
注文者と請負人が連絡することを特徴とする。
請求項５では、請負人が注文者の登録した業務に対して応募し、
注文者と請負人がチャットすることを特徴とする。
請求項６では、請負人が注文者の登録した業務に対して応募し、
注文者と請負人がキャッシュレスで決済することを特徴とする。
請求項７では、請負人が注文者の登録した業務に対して応募し、
注文者と請負人が相互評価することを特徴とする
【発明の効果】
【００１３】請求項１記載の発明によれば
業務の注文を希望している任意数の注文者の情報端末と
業務の請負を希望している任意数の請負人の情報端末と、
会員登録制のサイトを運営するシステム運営者のＷｅｂサーバーとＤＢサーバーとの間において相互通信を行う業務支援システムであって、
注文者と請負人がデーターベースに情報を登録し、
請負人が注文者の登録した業務に対して応募し、
注文者と請負人が連絡することができ、実際の業務を通じて、
注文者側は請負人の業務遂行能力及び請負人側は注文者の業務管理体制及び業務内容の自己の適性を図ることができ、看板マッチングで生じるミスマッチの少ないシステムを提供することができる。【００１４】請求項２記載の発明によれば
業務の注文を希望している任意数の注文者の情報端末と
業務の請負を希望している任意数の請負人の情報端末と、
会員登録制のサイトを運営するシステム運営者のＷｅｂサーバーとＤＢサーバーとの間において相互通信を行う業務支援システムであって、
注文者と請負人がデーターベースに情報を登録し、
同一のアカウントから、
業務への応募、業務依頼することができ、注文者、請負人両立場で仕事の注文体制、請負体制を構築する際の時間的負担が少ないシステムを提供することができる。【００１５】請求項３記載の発明によれば
業務の注文を希望している任意数の注文者の情報端末と
業務の請負を希望している任意数の請負人の情報端末と、
会員登録制のサイトを運営するシステム運営者のＷｅｂサーバーとＤＢサーバーとの間において相互通信を行う業務支援システムであって、
注文者と請負人がデーターベースに情報を登録し、
地図上に表示された業務より、請負人が注文者の登録した業務に対して応募し、
注文者と請負人が連絡することができ、
請負人が地理的条件の合致した業務に対して応募、連絡する際の、
地理的条件の検討における時間的負担が少ないシステムを提供することができる。【００１６】請求項４記載の発明によれば
業務の注文を希望している任意数の注文者の情報端末と
業務の請負を希望している任意数の請負人の情報端末と、
会員登録制のサイトを運営するシステム運営者のＷｅｂサーバーとＤＢサーバーとの間において相互通信を行う業務支援システムであって、
注文者と請負人がデーターベースに情報を登録し、
検索により表示された業務より、請負人が注文者の登録した業務に対して応募し、
注文者と請負人が連絡することができ、
請負人が自己の適正にあった業務に対して応募、連絡する際の、
業務条件の検討における時間的負担が少ないシステムを提供することができる。【００１７】請求項５記載の発明によれば
業務の注文を希望している任意数の注文者の情報端末と
業務の請負を希望している任意数の請負人の情報端末と、
会員登録制のサイトを運営するシステム運営者のＷｅｂサーバーとＤＢサーバーとの間において相互通信を行う業務支援システムであって、
注文者と請負人がデーターベースに情報を登録し、
請負人が注文者の登録した業務に対して応募し、
注文者と請負人がチャットすることができ、
電話番号、メールアドレス等の連絡先の交換が必要とされないシステムを提供することができる。【００１８】請求項６記載の発明によれば
業務の注文を希望している任意数の注文者の情報端末と
業務の請負を希望している任意数の請負人の情報端末と、
会員登録制のサイトを運営するシステム運営者のＷｅｂサーバーとＤＢサーバーとの間において相互通信を行う業務支援システムであって、
注文者と請負人がデーターベースに情報を登録し、
請負人が注文者の登録した業務に対して応募し、
注文者と請負人がキャッシュレスで決済することができ、
注文者が請負人に対してキャッシュレスでの支払いをし、
報酬の支払いで生じる業務負担が少ないシステムを提供することができる。
また、手数料の徴収を報酬の支払い時に実行することで、
成果型のシステムを提供することができる。【００１９】請求項７記載の発明によれば
業務の注文を希望している任意数の注文者の情報端末と
業務の請負を希望している任意数の請負人の情報端末と、
会員登録制のサイトを運営するシステム運営者のＷｅｂサーバーとＤＢサーバーとの間において相互通信を行う業務支援システムであって、
注文者と請負人がデーターベースに情報を登録し、
請負人が注文者の登録した業務に対して応募し、
注文者と請負人が相互評価することができ、
注文者と請負人が業務完了後に相互に評価を与え、
評価情報の登録、評価情報のサイトへの反映を行うことにより、
注文者が請負人、請負人が注文者を決める判断をする際の時間的負担が少ないシステムを提供することができる。
また、高評価獲得のために注文者、請負人両立場から業務遂行の成果を高めるシステムを提供することができる
【図面の簡単な説明】
【００２０】
【図１】図１は本発明の実施例１に係る注文者・請負人業務支援システムのハードウェア全体構成図である。
【図２】図２は本発明の実施例１に係る注文者・請負人業務支援システムの処理の流れを示す説明図である。
【図３】図３は本発明の実施例１に係る注文者・請負人業務支援システムの注文者の基礎情報を登録する画面の表示例を示す図である。
【図４】図４は本発明の実施例１に係る注文者・請負人業務支援システムの請負人の基礎情報を登録する画面の表示例を示す図である。
【図５】図５は本発明の実施例１に係る注文者・請負人業務支援システムの注文者が依頼する業務情報を登録する画面の表示例を示す図である。
【図６】図６は本発明の実施例１に係る注文者・請負人業務支援システムの請負人が地図上に表示された業務を閲覧する画面の表示例を示す図である。
【図７】図７は本発明の実施例１に係る注文者・請負人業務支援システムの請負人が業務を検索する画面の表示例を示す図である。
【図８】図８は本発明の実施例１に係る注文者・請負人業務支援システムの注文者が依頼した業務の管理画面の表示例を示す図である。
【図９】図９は本発明の実施例１に係る注文者・請負人業務支援システムの請負人の応募した業務の管理画面の表示例を示す図である。
【図１０】図１０は本発明の実施例１に係る注文者・請負人業務支援システムの注文者と請負人がチャットを行う画面の表示例を示す図である。
【図１１】図１１は本発明の実施例１に係る注文者・請負人業務支援システムの登録された業務情報に基づき支払いを実施する画面の表示例を示す図である。
【図１２】図１２は本発明の実施例１に係る注文者・請負人業務支援システムの登録された業務情報に基づき相手を評価する画面の表示例を示す図である。
【発明を実施するための形態】
【００２１】本発明は、人材採用のみならず、一般的な仕事の請負業務のマッチングができ、
業務の実施者を求める注文者と業務を実施したい請負人とのマッチングを業務内容に対して図ることができ、チャットによるコミュニケーション、キャッシュレスによる支払い、相互評価をＷｅｂサイト上で実現することができ、時間的負担の軽減を実現することができる注文者・請負人業務支援システムを実現し提供するという目的を、注文者を希望する任意の情報端末と請負人を希望する任意の情報端末と、会員登録制のサイトを運営するシステム運営者のＷｅｂサーバーとの間において相互通信を行う業務支援システムであって、
インターネットを通じて、ユーザー情報の登録処理、注文者の基礎情報登録処理、
請負人の基礎情報登録処理、業務情報の登録処理、
地図上への業務表示及び応募処理、検索による業務表示及び応募処理、
相互通信処理、決済処理、評価情報登録処理により実現した。
【実施例１】
【００２２】実施例１は、中途者の採用を検討している企業（以下「注文者」という）と入社を考えている個人（以下「請負人」という）によって、
システム運営者の提供するＷｅｂサービスで行われる。
図１は、注文者・請負人業務支援システムのハードウェア全体構成図である。
Ｗｅｂサーバー（１）、ＤＢサーバー（２）、任意数の注文者の情報端末（３）、
任意数の請負人の情報端末（４）で構成される。【００２３】Ｗｅｂサーバー（１）は、任意数の注文者の情報端末（３）及び任意数の請負人の情報端末（４）へ提供情報を送信する端末送信部、
任意数の注文者の情報端末（３）及び任意数の請負人の情報端末（４）からの端末を識別するための識別情報・入力情報を受信する端末受信部、
プログラムの処理を行う算出部、
ＤＢサーバー（２）へ送信情報を送信するＤＢ送信部
ＤＢサーバー（２）からの提供情報を受信するＤＢ受信部から構成される。【００２４】ＤＢサーバー（２）は、
ユーザー情報（氏名、メールアドレス、パスワード、性別、口座番号等）を格納するユーザー情報ＤＢ（ＤＢ１）、
注文者の基礎情報、企業の基礎情報（個人名、企業名等）を格納する注文者情報ＤＢ（ＤＢ２）、
請負人の基礎情報（自身の写真、言語、学歴、職歴、ＰＲ、住所、所在地等）を格納する請負人情報ＤＢ（ＤＢ３）、
業務の基礎情報（支払方法、始まりの時間、時給、通貨、頻度、場所等）を格納する業務情報ＤＢ（ＤＢ４）、
注文者の評価情報（請負人からの評価、コメント等）を格納する注文者評価ＤＢ（ＤＢ５）、
請負人の評価情報（注文者からの評価、コメント等）を格納する請負人評価ＤＢ（ＤＢ６）から構成される。【００２５】注文者の情報端末（３）及び請負人の情報端末（４）は、
Ｗｅｂサーバー（１）へ識別情報・入力情報を送信する送信部、
Ｗｅｂサーバー（１）からの提供情報を受信するＤＢ受信部、
プログラムの処理を行う算出部、コンテンツの表示を行う表示部から構成される。【００２６】図２は、注文者・請負人業務支援システムの処理の流れである。
注文者と請負人が情報端末を使用し、
システム運営者の提供するＷｅｂサービスで注文者のアカウント登録（ステップＣ１）、決済情報登録（ステップＣ２）、
注文者の基礎情報登録（ステップＣ３）、業務情報の登録（ステップＣ４）、
承諾判断送信（ステップＣ５）、チャット（ステップＣ６）、
支払い処理（ステップＣ７）、請負人評価の登録（ステップＣ８）、
請負人のアカウント登録（ステップＵ１）、決済情報登録（ステップＵ２）、
請負人の情報登録（ステップＵ３）、業務情報検索・業務情報閲覧（ステップＵ４）、
業務応募送信（ステップＵ５）、チャット（ステップＵ６）、
受領処理（ステップＵ７）、注文者評価の登録（ステップＵ８）をする際の、
Ｗｅｂサーバー（１）との情報の通信及びＤＢサーバー（２）への情報登録の流れが表されている。【００２７】注文者は、システム運営者の提供するＷｅｂサービスの会員になるためアカウントを登録し、Ｗｅｂサービスにより配信されたメール等により、
アカウントの認証を行う。
（ステップＣ１）（ステップＵ１と同様の操作）
ここでは、注文者の情報端末（３）からＷｅｂサーバー（１）の端末受信部に送信された入力情報は、Ｗｅｂサーバー（１）の算出部で、
既存の登録情報と重複しないかユーザー情報ＤＢ（ＤＢ１）に照合され、
またデーターベースに格納可能な形式か、
あらかじめ決めたプログラムにより場合分け処理がされ、文字数制限等の登録条件を満たしたメールアドレスに対して本人の確認メールを送信する。
確認メールには、トークンが付帯しており、確認メールのリンクからＷｅｂサービスにアクセスすることによりアカウントの認証が行われる。
アカウントに対するパスワード情報は、情報端末の送信部からＷｅｂサーバー（１）の端末受信部に送信され、算出部にて暗号化処理され、
ＤＢ送信部からＤＢサーバー（２）に情報が送信され、
ユーザー情報ＤＢ（ＤＢ１）に格納される。【００２８】請負人は、システム運営者の提供するＷｅｂサービスの会員になるためアカウントを登録し、Ｗｅｂサービスにより配信されたメール等により、
アカウントの認証を行う。（ステップＵ１）（ステップＣ１と同様の操作）
ここでは、請負人の情報端末（４）からＷｅｂサーバー（１）の端末受信部に送信された入力情報は、Ｗｅｂサーバー（１）の算出部で、
既存の登録情報と重複しないかユーザー情報ＤＢ（ＤＢ１）に照合され、
またデーターベースに格納可能な形式か、
あらかじめ決めたプログラムにより場合分け処理がされ、文字数制限等の登録条件を満たしたメールアドレスに対して本人の確認メールを送信する。
確認メールには、トークンが付帯しており、確認メールのリンクからＷｅｂサービスにアクセスすることによりアカウントの認証が行われる。
アカウントに対するパスワード情報は、情報端末の送信部からＷｅｂサーバー（１）の端末受信部に送信され、算出部にて暗号化処理され、ＤＢ送信部からＤＢサーバー（２）に情報が送信され、ユーザー情報ＤＢ（ＤＢ１）に格納される。【００２９】注文者は、システム運営者の提供するＷｅｂサービスで氏名、性別、生年月日、自宅住所、金融機関、口座名義人、口座番号等の決済情報の登録を行う。（ステップＣ２）
ここでは、注文者の情報端末（３）からＷｅｂサーバー（１）の端末受信部に送信された入力情報はＷｅｂサーバー（１）の算出部で、
あらかじめ決めたプログラムにより場合分け処理がされ、
文字数制限等の登録条件を満たしている情報は、ＤＢ送信部からＤＢサーバー（２）に情報が送信され、ユーザー情報ＤＢ（ＤＢ１）に格納される。【００３０】請負人は、システム運営者の提供するＷｅｂサービスで氏名、性別、生年月日、自宅住所、金融機関、口座名義人、口座番号等の決済情報の登録を行う。（ステップＵ２）
ここでは、請負人の情報端末（４）からＷｅｂサーバー（１）の端末受信部に送信された入力情報はＷｅｂサーバー（１）の算出部で、
あらかじめ決めたプログラムにより場合分け処理がされ、
文字数制限等の登録条件を満たしている情報は、ＤＢ送信部からＤＢサーバー（２）に情報が送信され、ユーザー情報ＤＢ（ＤＢ１）に格納される。【００３１】注文者は、システム運営者の提供するＷｅｂサービスの図３に示すような注文者の基礎情報を登録する画面で、
注文者の基礎情報、企業の基礎情報を登録する。（ステップＣ３）
請負人は、業務に応募する際に、この登録された注文者の基礎情報、
企業の基礎情報を参考にする。
ここでは、注文者の情報端末（３）からＷｅｂサーバー（１）の端末受信部に送信された入力情報はＷｅｂサーバー（１）の算出部で、
あらかじめ決めたプログラムにより場合分け処理がされ、
文字数制限等の登録条件を満たしている情報は、ＤＢ送信部からＤＢサーバー（２）に情報が送信され、注文者情報ＤＢ（ＤＢ２）に格納される。【００３２】請負人は、システム運営者の提供するＷｅｂサービスの図４に示すような請負人の基礎情報を登録する画面で、
請負人の基礎情報、自身の写真、言語、学歴、職歴、ＰＲ、住所、所在地等の情報を登録する。（ステップＵ３）
注文者は、請負人の応募があった際に、この登録された請負人の基礎情報を参考にし、応募の承諾判断を行う。
ここでは、請負人の情報端末（４）からＷｅｂサーバー（１）の端末受信部に送信された入力情報はＷｅｂサーバー（１）の算出部で、
あらかじめ決めたプログラムにより場合分け処理がされ、
文字数制限等の登録条件を満たしている情報は、ＤＢ送信部からＤＢサーバー（２）に情報が送信され、請負人情報ＤＢ（ＤＢ３）に格納される。
請負人の所在地に関しては、操作性向上のため緯度経度情報の入力ではなく、
地図上に表示されたアイコンのドラッグ＆ドロップの操作で決めることができ、アイコンを移動するたびに、請負人の情報端末の算出部でドロップされた場所の緯度経度の情報がプログラムにより加工、表示される。【００３３】注文者は、システム運営者の提供するＷｅｂサービスの図５に示すような注文者が依頼する業務情報を登録する画面で、
請負人の業務遂行能力をはかれる業務内容と業務実行にあたり必要な支払方法、始まりの時間、時給、通貨、頻度、場所、支払い総額等の業務の基礎情報を登録する。
必要に応じて、内容欄に業務内容とともに年収、勤務地、勤務形態等の採用条件に関する情報を登録する。（ステップＣ４）
ここでは、注文者の情報端末（３）からＷｅｂサーバー（１）の端末受信部に送信された入力情報はＷｅｂサーバー（１）の算出部で、
あらかじめ決めたプログラムにより場合分け処理がされ、
文字数制限等の登録条件を満たしている情報は、ＤＢ送信部からＤＢサーバー（２）に情報が送信され、業務情報ＤＢ（ＤＢ４）に格納される。
支払い総額の情報に関しては、時給、総時間の情報が変更されるたびに、
注文者の情報端末（３）の算出部で、プログラムにより加工、表示される。
業務実行の場所に関しては、操作性向上のため緯度経度情報の入力ではなく、
地図上に表示されたアイコンのドラッグ＆ドロップの操作で決めることができ、アイコンを移動するたびに、注文者の情報端末（３）の算出部でドロップされた場所の緯度経度の情報がプログラムにより加工、表示される。【００３４】請負人は、運営者の提供するＷｅｂサービスの図６に示すような請負人が地図上に表示された業務を閲覧する画面で、
注文者が依頼する業務は登録された場所情報にもとづき、地図上にアイコンが表示され、そのアイコンをクリックすることにより業務の詳細情報を表示する。
また、図７に示すような請負人が業務を検索する画面で、
任意の検索項目を入力欄に入力し、業務の詳細情報の一覧を表示する。
（ステップＵ４）
請負人が地図上に表示された業務を閲覧する画面にアクセスする際には、
Ｗｅｂサーバー（１）の算出部で、あらかじめ決めたプログラムにより表示する業務の送信情報がＤＢサーバー（２）に送信され、
ＤＢ受信部で提供情報を受信する。提供情報は、請負人の情報端末（４）の受信部に送信され算出部で加工されたのち、表示される。
請負人が任意の検索項目で表示された業務を閲覧する際には、請負人の入力した情報が非同期通信でＷｅｂサーバー（１）に送信され算出部にて加工されたのち、
業務情報ＤＢを照合し、該当する情報の提供情報を受信する。
提供情報は、請負人の情報端末（４）の受信部に送信され、
算出部で加工されたのち、一覧として表示される。
請負人の所在地と登録された業務の場所との距離情報に関しては、
Ｗｅｂサーバー（１）の算出部で、２点間の緯度経度の情報をもとにプログラムにより加工、表示される。【００３５】請負人は、運営者の提供するＷｅｂサービスで企業の基礎情報、業務情報、採用情報、地理的情報等を加味し、
自身の応募条件に一致した企業の業務に応募する。（ステップＵ５）
地図上に表示された業務（図６）および検索により表示された業務（図７）には、表示された業務に対して申し込みが出来る応募ボタン（Ｂ１、Ｂ２）がついている。
この応募ボタン（Ｂ１、Ｂ２）は、状況によりプログラムで場合分け処理され、
表示及び機能が変化する。
例えば、自身が依頼している業務や応募者が規定の人数に達している場合は、
申し込みができない表示及び機能となる。
申し込みが出来る状況の場合にボタンを押すと、請負人の情報端末（４）からＷｅｂサーバー（１）の端末受信部に送信された入力情報は、ＤＢ送信部からＤＢサーバー（２）に情報が送信され、業務情報ＤＢ（ＤＢ４）に格納される。
この情報は、請負人と注文者の出した業務の紐付け情報（マッチング情報）となる。【００３６】注文者は、システム運営者の提供するＷｅｂサービスの図８に示すような注文者が依頼した業務の管理画面で依頼した業務の管理画面に表示される応募者に対して、
応募者の写真、言語、学歴、職歴、ＰＲ、住所、所在地等の基礎情報を確認し、
応募の承諾判断をする。応募可の判断すると、
注文者と請負人は、チャットで連絡を取れるようになる。
応募不可の判断をすると、応募者は管理画面の一覧から削除される。
（ステップＣ５）
ここでは、注文者の情報端末（３）からＷｅｂサーバー（１）の端末受信部に送信された入力情報はＷｅｂサーバー（１）の算出部で、
あらかじめ決めたプログラムにより場合分け処理がされ、ＤＢ送信部からＤＢサーバー（２）に情報が送信され、業務情報ＤＢ（ＤＢ４）に格納される。
応募可の判断がされた場合に送信される入力情報は、
紐付け情報のステータスをチャット可の状態にし、
注文者は、依頼した業務の管理画面（図８）より、
請負人は、応募した業務の管理画面（図９）より、
チャット画面（図１０）にアクセスできるようになる。【００３７】注文者と請負人は、システム運営者の提供するＷｅｂサービスの図１０に示すような注文者と請負人がチャットを行う画面で応募者の写真、言語、学歴、職歴、ＰＲ、住所、所在地等の基礎情報、
企業が登録した業務内容と業務実行にあたり必要な支払方法、始まりの時間、時給、通貨、頻度、場所等の業務の基礎情報に対して、相互に不明点、認識の齟齬がないようにチャットで連絡を取り確認を行う。（ステップＣ６、ステップＵ６）
ここでは、ＷｅｂＳｏｃｋｅｔで双方向の通信を実現している。注文者と請負人の情報端末（３、４）からの入力情報はＷｅｂサーバー（１）を介して、
ＤＢサーバー（２）を経由することなく端末送信部から相互の情報端末の受信部に送信され、表示される。
また、チャットの内容を画面遷移または更新時に表示するために、
注文者と請負人の情報端末（３、４）からＷｅｂサーバーの端末受信部に送信された入力情報はＷｅｂサーバー（１）の算出部で、
あらかじめ決めたプログラムにより場合分け処理がされ、ＤＢ送信部からＤＢサーバー（２）に情報が送信され、業務情報ＤＢ（ＤＢ４）に格納される。【００３８】請負人は、注文者が依頼した業務内容及びチャットで相互に確認した内容に基づき、前記業務を実行する。【００３９】注文者は、請負人が依頼した業務内容を完了後、運営者の提供するＷｅｂサービスの図１１に示すような登録された業務情報に基づき支払いを実施する画面で、
入力画面に必要情報を入力し、決済処理の実行ボタン（Ｂ３）を押すと、
業務の基礎情報に登録した支払い情報に基づき、
キャッシュレスによる支払いを実行する。（ステップＣ７）
注文者の情報端末（３）よりＷｅｂサーバー（１）の端末受信部に送信された入力情報はＷｅｂサーバー（１）の算出部で、
あらかじめ決めたプログラムにより場合分け処理がされ、
決済処理を実行する。決済処理は、
注文者のアカウントと事前に紐付けられた決済サービスで実行される。【００４０】請負人は、運営者の提供するＷｅｂサービスで注文者が実行したキャッシュレスによる支払いを受領する。（ステップＵ７）
キャッシュレスによる決済処理は、請負人のアカウントと事前に紐付けられた決済サービスで実行される。【００４１】注文者は、運営者の提供するＷｅｂサービスの図１２に示すような登録された業務情報に基づき相手を評価する画面で業務を遂行した請負人に対して、業務の基礎情報、チャットでの打ち合わせに基づき評価を行う。（ステップＣ８）
ここでは、注文者の情報端末（３）よりＷｅｂサーバー（１）の端末受信部に送信された評価情報はＷｅｂサーバー（１）の算出部で、
あらかじめ決めたプログラムにより場合分け処理がされ、
文字数制限等の登録条件を満たしている情報は、ＤＢ送信部からＤＢサーバー（２）に情報が送信され、請負人評価ＤＢ（ＤＢ６）に格納される。【００４２】同様に請負人は、運営者の提供するＷｅｂサービスの図１２に示すような登録された業務情報に基づき相手を評価する画面で業務を依頼した注文者に対して、業務の基礎情報、チャットでの打ち合わせに基づき評価を行う。（ステップＵ８）
ここでは、請負人の情報端末（４）よりＷｅｂサーバーの端末受信部に送信された評価情報はＷｅｂサーバー（１）の算出部で、
あらかじめ決めたプログラムにより場合分け処理がされ、
文字数制限等の登録条件を満たしている情報は、ＤＢ送信部からＤＢサーバー（２）に情報が送信され、注文者評価ＤＢ（ＤＢ５）に格納される。【００４３】このようにして、実際の業務を通じ、注文者は採用可否、
請負人は入社を検討し、ミスマッチの少ない採用を行うことが可能となる。
実施例１では、企業が個人を雇用する新卒、転職時の適用例を記述したが、
プログラミング・デザイン等のリモート業務、
草刈り・電球の交換等の個人が個人に依頼する業務等の請負業務に適用可能である。
【産業上の利用可能性】
【００４４】本発明の注文者・請負人業務支援システムは、新卒学生のインターンシップ、
中途採用における業務遂行能力の把握、正社員の試用期間の運用の他に、
外国人労働者の適正把握・業務実行のインターフェイス、
プログラミング・デザイン等のリモート業務、
草刈り・電球の交換等の個人が個人に依頼する業務等広範に適用可能である。
【符号の説明】
【００４５】１      Ｗｅｂサーバー
２      ＤＢサーバー
３      注文者情報端末
４      請負人情報端末
ＤＢ１  ユーザー情報ＤＢ
ＤＢ２  注文者情報ＤＢ
ＤＢ３  請負人情報ＤＢ
ＤＢ４  業務情報ＤＢ
ＤＢ５  注文者評価ＤＢ
ＤＢ６  請負人評価ＤＢ
Ｃ１    注文者におけるステップ１
Ｃ２    注文者におけるステップ２
Ｃ３    注文者におけるステップ３
Ｃ４    注文者におけるステップ４
Ｃ５    注文者におけるステップ５
Ｃ６    注文者におけるステップ６
Ｃ７    注文者におけるステップ７
Ｃ８    注文者におけるステップ８
Ｕ１    請負人におけるステップ１
Ｕ２    請負人におけるステップ２
Ｕ３    請負人におけるステップ３
Ｕ４    請負人におけるステップ４
Ｕ５    請負人におけるステップ５
Ｕ６    請負人におけるステップ６
Ｕ７    請負人におけるステップ７
Ｕ８    請負人におけるステップ８
Ｂ１    地図上に表示された業務への応募ボタン
Ｂ２    検索により表示された業務への応募ボタン
Ｂ３    決済処理の実行ボタン
【図１】
2020170489.tif 000003
【図２】
2020170489.tif 000004
【図３】
2020170489.tif 000005
【図４】
2020170489.tif 000006
【図５】
2020170489.tif 000007
【図６】
2020170489.tif 000008
【図７】
2020170489.tif 000009
【図８】
2020170489.tif 000010
【図９】
2020170489.tif 000011
【図１０】
2020170489.tif 000012
【図１１】
2020170489.tif 000013
【図１２】
2020170489.tif 000014